(57)【要約】【課題】暗号化されたコンテンツデータをより効率的かつ低負荷で録画・再生可能な放送受信装置を提供する。【解決手段】ＴＳ信号処理部（１４）は、受信された放送波をコンテンツデータとＥＣＭ（Entitlement  Control  message）とに分離する。ＥＣＭ／ＥＭＭ処理部（１６）およびＣＡＳ処理部（２４）は、ＥＣＭを復号する。録画処理部（１８）は、コンテンツデータを暗号化された状態で記録メディア（３０）に録画する。秘匿情報保存部（２８）は、復号されたＥＣＭに含まれるスクランブル鍵（Ｋｓ）およびコンテンツデータの視聴条件を含む契約情報を記録メディア（３０）に録画されるコンテンツデータと対応付けて保存する。【選択図】図２
2014045414.tif 000002
【特許請求の範囲】
【請求項１】
暗号化された放送波を受信して録画および再生可能な放送受信装置であって、前記放送波は、暗号化されたコンテンツデータと、前記コンテンツデータを復号して再生するための情報を含む暗号化された制御情報とを含み、
前記放送波を受信する受信部と、
前記受信部によって受信された放送波を前記コンテンツデータと前記制御情報とに分離する信号処理部と、
前記制御情報を復号する復号部と、
前記コンテンツデータを暗号化された状態で録画する録画部と、
前記復号部によって復号された制御情報を前記録画部に録画されるコンテンツデータと対応付けて保存する保存部とを備える放送受信装置。
【請求項２】
前記コンテンツデータを再生する再生部をさらに備え、
前記制御情報は、前記コンテンツデータを復号するためのスクランブル鍵を含み、
前記再生部による前記コンテンツデータの再生が要求されると、
前記復号部は、前記コンテンツデータと対応付けて前記保存部に保存された制御情報に含まれるスクランブル鍵を用いて、前記録画部に録画されたコンテンツデータを復号し、
前記再生部は、前記復号部により復号されたコンテンツデータを再生する、請求項１に記載の放送受信装置。
【請求項３】
前記放送波に含まれる制御情報は、所定の時間毎に更新され、
前記保存部は、所定の時間毎に更新される制御情報を前記コンテンツデータと対応付けて時系列に保存する、請求項１または２に記載の放送受信装置。
【請求項４】
前記保存部は、前記復号部によって復号された制御情報を暗号化して保存する、請求項１に記載の放送受信装置。
【請求項５】
前記コンテンツデータを再生する再生部と、
前記録画部に録画されたコンテンツデータを前記再生部により再生可能か否かを判定する判定部とをさらに備え、
前記保存部は、前記コンテンツデータを購入済か否かを示す購入情報をさらに保存し、
前記制御情報は、前記コンテンツデータを視聴するための視聴条件を含む契約情報を含み、
前記判定部は、前記コンテンツデータの再生要求時に、前記購入情報と前記契約情報との比較結果に基づいて前記コンテンツデータを再生可能か否かを判定する、請求項１に記載の放送受信装置。
【請求項６】
暗号化された放送波を受信して録画および再生可能な携帯端末装置であって、前記放送波は、暗号化されたコンテンツデータと、前記コンテンツデータを復号して再生するための情報を含む暗号化された制御情報とを含み、
前記放送波を受信する受信部と、
前記受信部によって受信された放送波を前記コンテンツデータと前記制御情報とに分離する信号処理部と、
前記制御情報を復号する復号部と、
前記コンテンツデータを暗号化された状態で録画する録画部と、
前記復号部によって復号された制御情報を前記録画部に録画されるコンテンツデータと対応付けて保存する保存部とを備える携帯端末装置。
【請求項７】
暗号化された放送波を受信して録画および再生するための放送受信方法であって、前記放送波は、暗号化されたコンテンツデータと、前記コンテンツデータを復号して再生するための情報を含む暗号化された制御情報とを含み、
前記放送受信方法は、
前記放送波を受信するステップと、
前記受信するステップによって受信された放送波を前記コンテンツデータと前記制御情報とに分離するステップと、
前記制御情報を復号するステップと、
前記コンテンツデータを暗号化された状態で録画するステップと、
前記復号するステップによって復号された制御情報を、前記録画するステップにより録画されるコンテンツデータと対応付けて保存するステップとを含む、放送受信方法。
【請求項８】
暗号化された放送波を受信して録画および再生するための処理をコンピュータに実行させるためのプログラムであって、前記放送波は、暗号化されたコンテンツデータと、前記コンテンツデータを復号して再生するための情報を含む暗号化された制御情報とを含み、
前記放送波を受信するステップと、
前記受信するステップによって受信された放送波を前記コンテンツデータと前記制御情報とに分離するステップと、
前記制御情報を復号するステップと、
前記コンテンツデータを暗号化された状態で録画するステップと、
前記復号するステップによって復号された制御情報を、前記録画するステップにより録画されるコンテンツデータと対応付けて保存するステップとを含む処理をコンピュータに実行させるためのプログラム。
【発明の詳細な説明】
【技術分野】
【０００１】
この発明は、放送受信装置、携帯端末装置、放送受信方法およびプログラムに関し、特に、暗号化された放送波を受信して録画および再生可能な放送受信装置、携帯端末装置、放送受信方法およびプログラムに関する。
【背景技術】
【０００２】
特開２０１１−１３９３３５号公報（特許文献１）は、暗号化（スクランブル）された映像音声情報（コンテンツデータ）が含まれる放送波を受信する放送受信装置を開示する。この放送受信装置においては、復号部２１４は、スクランブル鍵によって暗号化された映像音声情報を受ける。暗号解除情報処理部２０３は、暗号化された映像音声情報を復号するためのスクランブル鍵を受ける。そして、復号部２１４は、暗号解除情報処理部２０３から受けるスクランブル鍵を用いて、暗号化された映像音声情報を復号（デスクランブル）する。復号された映像音声情報は、映像音声処理部を介してハードディスクドライブ（ＨＤＤ）に記録される（特許文献１参照）。
【０００３】
また、特開２０１１−１９３１０３号公報（特許文献２）は、デジタル放送録画再生装置を開示する。このデジタル放送録画再生装置は、デジタル放送を録画する際に、暗号化されたデジタル放送ストリームをスクランブル鍵によって復号し、復号後のデジタル放送ストリームを再暗号化して蓄積部に蓄積する（特許文献２参照）。
【先行技術文献】
【特許文献】
【０００４】
【特許文献１】特開２０１１−１３９３３５号公報
【特許文献２】特開２０１１−１９３１０３号公報
【発明の概要】
【発明が解決しようとする課題】
【０００５】
上記各特許文献に記載の装置では、コンテンツデータを録画するに際して、暗号化されたコンテンツデータをスクランブル鍵によって復号し、特許文献２に記載の装置のように、必要に応じて復号後のコンテンツデータを再暗号化して録画する。
【０００６】
しかしながら、このようなコンテンツデータの復号および再暗号化処理は非効率である。また、コンテンツデータは一般的に大容量であり、さらにコンテンツデータの復号・暗号は一般的に細かい頻度で実施する必要があるので、ＣＰＵ（Central  Processing  Unit）の負荷が増大し、その結果消費電流が増加する。
【０００７】
そこで、この発明は、かかる課題を解決するためになされたものであり、その目的は、暗号化されたコンテンツデータをより効率的かつ低負荷で録画・再生可能な放送受信装置を提供することである。
【０００８】
また、この発明の別の目的は、暗号化されたコンテンツデータをより効率的かつ低負荷で録画・再生可能な携帯端末装置を提供することである。
【０００９】
また、この発明の別の目的は、暗号化されたコンテンツデータをより効率的かつ低負荷で録画・再生可能な放送受信方法を提供することである。
【００１０】
また、この発明の別の目的は、暗号化されたコンテンツデータをより効率的かつ低負荷で録画・再生可能な処理をコンピュータに実行させるためのプログラムを提供することである。
【課題を解決するための手段】
【００１１】
この発明によれば、放送受信装置は、暗号化された放送波を受信して録画および再生可能な放送受信装置であって、受信部と、信号処理部と、復号部と、録画部と、保存部とを備える。放送波は、暗号化されたコンテンツデータと、コンテンツデータを復号して再生するための情報を含む暗号化された制御情報とを含む。受信部は、放送波を受信する。信号処理部は、受信部によって受信された放送波をコンテンツデータと制御情報とに分離する。復号部は、制御情報を復号する。録画部は、コンテンツデータを暗号化された状態で録画する。保存部は、復号部によって復号された制御情報を録画部に録画されるコンテンツデータと対応付けて保存する。
【００１２】
好ましくは、放送受信装置は、再生部をさらに備える。再生部は、コンテンツデータを再生する。制御情報は、コンテンツデータを復号するためのスクランブル鍵を含む。そして、再生部によるコンテンツデータの再生が要求されると、復号部は、コンテンツデータと対応付けて保存部に保存された制御情報に含まれるスクランブル鍵を用いて、録画部に録画されたコンテンツデータを復号し、再生部は、復号部により復号されたコンテンツデータを再生する。
【００１３】
好ましくは、放送波に含まれる制御情報は、所定の時間毎に更新される。そして、保存部は、所定の時間毎に更新される制御情報をコンテンツデータと対応付けて時系列に保存する。
【００１４】
好ましくは、保存部は、復号部によって復号された制御情報を暗号化して保存する。
好ましくは、放送受信装置は、再生部と、判定部とをさらに備える。再生部は、コンテンツデータを再生する。判定部は、録画部に録画されたコンテンツデータを再生部により再生可能か否かを判定する。保存部は、コンテンツデータを購入済か否かを示す購入情報をさらに保存する。制御情報は、コンテンツデータを視聴するための視聴条件を含む契約情報を含む。そして、判定部は、コンテンツデータの再生要求時に、購入情報と契約情報との比較結果に基づいてコンテンツデータを再生可能か否かを判定する。
【００１５】
また、この発明によれば、携帯端末装置は、暗号化された放送波を受信して録画および再生可能な携帯端末装置であって、受信部と、信号処理部と、復号部と、録画部と、保存部とを備える。放送波は、暗号化されたコンテンツデータと、コンテンツデータを復号して再生するための情報を含む暗号化された制御情報とを含む。受信部は、放送波を受信する。信号処理部は、受信部によって受信された放送波をコンテンツデータと制御情報とに分離する。復号部は、制御情報を復号する。録画部は、コンテンツデータを暗号化された状態で録画する。保存部は、復号部によって復号された制御情報を録画部に録画されるコンテンツデータと対応付けて保存する。
【００１６】
また、この発明によれば、放送受信方法は、暗号化された放送波を受信して録画および再生するための放送受信方法である。放送波は、暗号化されたコンテンツデータと、コンテンツデータを復号して再生するための情報を含む暗号化された制御情報とを含む。そして、放送受信方法は、放送波を受信するステップと、受信するステップによって受信された放送波をコンテンツデータと制御情報とに分離するステップと、制御情報を復号するステップと、コンテンツデータを暗号化された状態で録画するステップと、復号するステップによって復号された制御情報を、録画するステップにより録画されるコンテンツデータと対応付けて保存するステップとを含む。
【００１７】
また、この発明によれば、プログラムは、暗号化された放送波を受信して録画および再生するための処理をコンピュータに実行させるためのプログラムである。放送波は、暗号化されたコンテンツデータと、コンテンツデータを復号して再生するための情報を含む暗号化された制御情報とを含む。そして、プログラムは、放送波を受信するステップと、受信するステップによって受信された放送波をコンテンツデータと制御情報とに分離するステップと、制御情報を復号するステップと、コンテンツデータを暗号化された状態で録画するステップと、復号するステップによって復号された制御情報を、録画するステップにより録画されるコンテンツデータと対応付けて保存するステップとを含む処理をコンピュータに実行させる。
【発明の効果】
【００１８】
この発明においては、コンテンツデータが暗号化された状態で録画されるので、コンテンツデータの録画時にコンテンツデータの復号および再暗号化処理は不要である。保存部は、復号部によって復号された制御情報を録画部に録画されるコンテンツデータと対応付けて保存する。これにより、コンテンツデータの録画後、保存部に保存された制御情報を用いて、必要に応じて後日コンテンツデータを復号して再生することができる。したがって、この発明によれば、暗号化されたコンテンツデータをより効率的かつ低負荷で録画・再生することができる。
【図面の簡単な説明】
【００１９】
【図１】この発明の実施の形態による放送受信装置が適用される放送送受信システムを概略的に示す全体構成図である。
【図２】図１に示す放送受信装置の構成を機能的に示す機能ブロック図である。
【図３】記録メディアに記録されるコンテンツデータのデータ構造を示した図である。
【図４】秘匿情報保存部に保存されるＥＣＭ関連情報のデータ構造を示した図である。
【図５】秘匿情報保存部に保存される契約・購入関連情報のデータ構造を示した図である。
【図６】コンテンツデータの録画処理に関する手順を説明するためのフローチャートである。
【図７】コンテンツデータの再生処理に関する手順を説明するためのフローチャートである。
【発明を実施するための形態】
【００２０】
以下、本発明の実施の形態について、図面を参照しながら詳細に説明する。なお、図中同一または相当部分には同一符号を付してその説明は繰返さない。
【００２１】
図１は、この発明の実施の形態による放送受信装置が適用される放送送受信システムを概略的に示す全体構成図である。図１を参照して、放送送受信システムは、放送送信装置１と、放送波送信所２と、放送受信装置３とを備える。放送送信装置１は、映像や音声等のコンテンツを含むコンテンツデータと、ＥＣＭ（Entitlement  Control  message）と呼ばれる制御情報とを多重化して放送波送信所２へ送信する。
【００２２】
コンテンツデータは、スクランブル鍵（Ｋｓ）と呼ばれる暗号鍵によって暗号化される。ＥＣＭは、コンテンツデータに付随するデータであり、コンテンツデータを復号するための上記スクランブル鍵（Ｋｓ）や、コンテンツデータを視聴するための視聴条件を含む契約情報（ティア）等を含む。なお、ＥＣＭは、コンテンツデータの不正利用を防止するために、所定の間隔毎（たとえば数秒や数十秒）に更新される。
【００２３】
コンテンツデータを復号するためのスクランブル鍵（Ｋｓ）を含むＥＣＭは、さらにワーク鍵（Ｋｗ）と呼ばれる暗号鍵によって暗号化される。ワーク鍵（Ｋｗ）は、ＥＭＭ（Entitlement  Management  message）と呼ばれるデータに含まれる。ＥＭＭは、放送受信装置３に固有の情報を伝送するためのデータであり、放送受信装置３においてＥＣＭを復号するための上記ワーク鍵（Ｋｗ）や、放送受信装置３の契約状態（コンテンツの購入契約等）を示す契約情報（ティア）等を含む。ＥＭＭは、ＥＣＭと同様に放送波に多重化されて放送波送信所２へ送信される。なお、ＥＭＭは、ワーク鍵（Ｋｗ）の更新時や、放送受信装置３の契約状態が更新されたときに、放送波に多重化されて配信される。
【００２４】
なお、ＥＣＭを復号するためのワーク鍵（Ｋｗ）を含むＥＭＭは、さらにマスタ鍵またはデバイス鍵と呼ばれる暗号鍵によって暗号化される。マスタ鍵は、Ｂ−ＣＡＳカードに記述される、カード毎に与えられた鍵である。デバイス鍵は、装置メーカまたは機種に対して与えられた鍵であり、同一装置メーカまたは同一機種は同じデバイス鍵を有する。
【００２５】
放送波送信所２は、放送送信装置１から送信された放送波を受信して放送受信装置３へ送信する。なお、放送波送信所２から放送受信装置３への放送波は、地上デジタル放送波であってもよいし、衛星デジタル放送波であってもよい。放送受信装置３は、放送波送信所２から送信される放送波を受信し、その受信した放送波に含まれるコンテンツデータの録画および再生を行なう。放送受信装置３は、スマートフォンやタブレットコンピュータ等の携帯端末装置であってもよいし、家庭等で固定的に設置されるものであってもよい。
【００２６】
図２は、図１に示した放送受信装置３の構成を機能的に示す機能ブロック図である。図２を参照して、放送受信装置３は、受信アンテナ１０と、チューナ制御部１２と、ＴＳ（Transport  Stream）信号処理部１４と、ＥＣＭ／ＥＭＭ処理部１６と、録画処理部１８と、契約情報処理部２０とを含む。また、放送受信装置３は、暗号復号処理部２２と、ＣＡＳ（Conditional  Access  System）処理部２４と、映像音声処理部２６と、秘匿情報保存部２８と、記録メディア３０とをさらに含む。さらに、放送受信装置３は、表示器３２と、スピーカ３４と、受信制御部３６と、主制御部３８とをさらに含む。
【００２７】
受信アンテナ１０は、放送波送信所２（図１）から送信された放送波を受信する。受信アンテナ１０は、地上デジタル放送波を受信するためのアンテナであってもよいし、衛星デジタル放送波を受信するためのアンテナであってもよい。チューナ制御部１２は、利用者によって選択されたチャンネル（周波数帯）の放送波を復調してＴＳ信号処理部１４へ出力する。
【００２８】
ＴＳ信号処理部１４は、チューナ制御部１２から受ける放送波をコンテンツデータとＥＣＭ（ＥＭＭが多重化されている場合にはさらにＥＭＭ）とに分離する。そして、ＴＳ信号処理部１４は、コンテンツデータについては録画処理部１８へ出力し、ＥＣＭ（またはＥＭＭ）についてはＥＣＭ／ＥＭＭ処理部１６へ出力する。なお、コンテンツデータが録画されることなく再生される場合には、ＴＳ信号処理部１４は、ＥＣＭと分離されたコンテンツデータを映像音声処理部２６へ出力する。
【００２９】
録画処理部１８は、ＥＣＭと分離されたコンテンツデータをＴＳ信号処理部１４から受けると、その受けたコンテンツデータをスクランブル鍵（Ｋｓ）で復号することなく、暗号化された状態で記録メディア３０へ出力する。記録メディア３０は、コンテンツデータを記録するメディアであり、録画処理部１８から受けるコンテンツデータを暗号化されたままの状態で記録する。記録メディア３０には、たとえば、ハードディスクやＤＶＤ、ブルーレイディスク等の各種メディアを採用可能である。
【００３０】
図３は、記録メディア３０に記録されるコンテンツデータのデータ構造を示した図である。図３を参照して、コンテンツデータ１００は、暗号化されたＴＳ（Transport  Stream）パケット１０２が時系列に連続して並んだＴＳデータである。
【００３１】
再び図２を参照して、ＥＣＭ／ＥＭＭ処理部１６は、コンテンツデータと分離されたＥＣＭをＴＳ信号処理部１４から受けると、その受けたＥＣＭを復号するためにＣＡＳ処理部２４へＥＣＭを出力する。また、ＥＣＭ／ＥＭＭ処理部１６は、ＣＡＳ処理部２４によって復号されたＥＣＭをＣＡＳ処理部２４から受けると、暗号化されたコンテンツデータを復号するためのスクランブル鍵（Ｋｓ）、およびコンテンツデータの視聴条件を含む契約情報（ティア）をＥＣＭから抽出する。そして、ＥＣＭ／ＥＭＭ処理部１６は、ＥＣＭから抽出されたスクランブル鍵（Ｋｓ）およびコンテンツに関する上記契約情報（以下「コンテンツのティア」とも称する。）に、当該スクランブル鍵（Ｋｓ）が用いられるコンテンツデータの再生範囲を示すタイムスタンプを付加して秘匿情報保存部２８へ出力する。
【００３２】
なお、上述のように、ＥＣＭは、所定の間隔毎に更新されるので、ＥＣＭ／ＥＭＭ処理部１６は、ＥＣＭが更新される毎にスクランブル鍵（Ｋｓ）およびコンテンツのティアをＥＣＭから取得し、コンテンツデータの再生範囲と紐付けるためのタイムスタンプを付加して秘匿情報保存部２８へ出力する。
【００３３】
また、ＥＣＭ／ＥＭＭ処理部１６は、ＴＳ信号処理部１４からＥＭＭを受けたときも、ＥＭＭを復号するためにＣＡＳ処理部２４へＥＭＭを出力する。なお、上述のように、ＥＭＭには、ＥＣＭを復号するためのワーク鍵（Ｋｗ）が含まれている。
【００３４】
ＣＡＳ処理部２４は、ＥＣＭ／ＥＭＭ処理部１６からＥＣＭを受けると、予め取得されたＥＭＭに含まれるワーク鍵（Ｋｗ）を用いてＥＣＭを復号し、復号されたＥＣＭをＥＣＭ／ＥＭＭ処理部１６へ出力する。また、ＣＡＳ処理部２４は、ＥＣＭ／ＥＭＭ処理部１６からＥＭＭを受けたときは、図示しないＢ−ＣＡＳカードに記述されるマスタ鍵、または当該放送受信装置３のデバイス鍵を用いてＥＭＭを復号し、ＥＭＭからワーク鍵（Ｋｗ）を抽出する。
【００３５】
秘匿情報保存部２８は、ＣＡＳ処理部２４によって復号されたＥＣＭから抽出されたスクランブル鍵（Ｋｓ）およびコンテンツのティアを、記録メディア３０に記録されるコンテンツデータと対応付けて保存する。より詳しくは、秘匿情報保存部２８は、復号されたＥＣＭから抽出されたスクランブル鍵（Ｋｓ）およびコンテンツのティアをＥＣＭ／ＥＭＭ処理部１６から受け、記録メディア３０に記録されるコンテンツデータに紐付けるためのタイムスタンプとともに保存する。
【００３６】
なお、秘匿情報保存部２８には、コンテンツデータを復号するためのスクランブル鍵（Ｋｓ）が保存されるので、秘匿情報保存部２８は、ＥＣＭ／ＥＭＭ処理部１６から受けるスクランブル鍵（Ｋｓ）（およびコンテンツのティア）を再暗号化して保存するのが好ましい。なお、ＥＣＭのデータは、コンテンツデータよりも小さく、また、ＥＣＭの復号はＥＣＭの更新毎に行ないさえすればよいので、ＥＣＭ（より詳しくはスクランブル鍵（Ｋｓ）およびコンテンツのティア）の再暗号化は大きな処理負荷にはならない。なお、上記の再暗号化に代えて、スクランブル鍵（Ｋｓ）およびコンテンツのティアを秘匿性の高い記憶エリアに保存するようにしてもよい。
【００３７】
図４は、秘匿情報保存部２８に保存されるＥＣＭ関連情報のデータ構造を示した図である。図４を参照して、ＥＣＭ関連情報２００は、ＥＣＭが更新される毎にＥＣＭ／ＥＭＭ処理部１６から送信されるデータ２１０，２２０，２３０，…を含む。
【００３８】
データ２１０，２２０，２３０，…の各々は、タイムスタンプ２１２と、スクランブル鍵２１４と、ティア２１６とを含む。タイムスタンプ２１２は、スクランブル鍵２１４が用いられるコンテンツデータの再生範囲を示す時間情報（たとえば、コンテンツデータの先頭から何秒目の再生位置から復号処理をするか等）である。スクランブル鍵２１４は、タイムスタンプ２１２によって示される再生範囲のコンテンツデータを復号するためのスクランブル鍵（Ｋｓ）である。ティア２１６は、対応のコンテンツデータを視聴するための視聴条件を示す契約情報である。具体的には、ティア２１６は、対応のコンテンツデータがどのチャンネル契約に基づくものかを示し、ティア２１６に示されるチャンネルの視聴が契約されており、かつ、当該コンテンツデータの購入契約が済んでいるときに、スクランブル鍵２１４によってコンテンツデータの該当範囲を復号することが可能となる。
【００３９】
なお、上述のように、ＥＣＭは、所定の間隔毎に更新されており、ＥＣＭが更新される毎に新たなデータが時系列に蓄積される。たとえば、データ２１０は、対応のコンテンツデータの先頭（０秒）から３０秒までの範囲において適用可能なスクランブル鍵Ｋｓおよびティアを含み、データ２２０は、コンテンツデータの３０秒〜６０秒までの範囲において適用可能なスクランブル鍵Ｋｓおよびティアを含む。
【００４０】
再び図２を参照して、秘匿情報保存部２８は、さらに、放送受信装置３によるコンテンツデータの契約・購入に関する情報を保存する。
【００４１】
図５は、秘匿情報保存部２８に保存される契約・購入関連情報のデータ構造を示した図である。図５を参照して、契約・購入関連情報３００は、記録メディア３０（図２）に記録されるコンテンツデータの契約・購入に関するデータ３１０，３２０，…を含む。
【００４２】
データ３１０，３２０，…の各々は、録画時間データ情報３１２と、契約・購入期限３１４と、契約・購入情報３１６とを含む。録画時間データ情報３１２は、当該データ（たとえばデータ３１０）が記録メディア３０に記録された録画データのどのコンテンツデータに対応するものかを示すヘッダ情報である。
【００４３】
契約・購入期限３１４は、対応するコンテンツデータの契約・購入期限を示す。この契約・購入期限３１４に示される期限を経過すると、当該コンテンツデータの購入契約をすることはできない。したがって、この場合は、コンテンツデータが記録メディア３０に記録されていても、そのコンテンツデータを復号することができない。
【００４４】
契約・購入情報３１６は、コンテンツデータの購入契約を管理するための情報である。コンテンツデータが購入されると、この契約・購入情報３１６が「未」から「済」に更新される。なお、コンテンツデータの購入は、契約・購入期限３１４に示される期限内であれば、コンテンツデータが記録メディア３０に記録された後であってもよい。
【００４５】
図３に示したコンテンツデータ１００、図４に示したＥＣＭ関連情報２００、および図５に示した契約・購入関連情報３００は、コンテンツデータ１００の記録メディア３０への録画の際にセットで保存される。すなわち、コンテンツデータ１００は、暗号化されたまま記録メディア３０に保存され、ＥＣＭ関連情報２００および契約・購入関連情報３００は、それぞれタイムスタンプ２１２および録画時間データ情報３１２によってコンテンツデータ１００と紐付けられて秘匿情報保存部２８に保存される。
【００４６】
再び図２を参照して、契約情報処理部２０は、記録メディア３０に記録されるコンテンツデータの契約・購入に関する処理を実行する。具体的には、コンテンツデータの契約・購入期限に関する情報を含むＥＭＭが受信されると、契約情報処理部２０は、その契約・購入期限に関する情報を契約・購入期限３１４（図５）として秘匿情報保存部２８に保存する。また、契約情報処理部２０は、記録メディア３０にコンテンツデータが録画されると、そのコンテンツデータと上記契約・購入期限３１４とを対応付けるための録画時間データ情報３１２（図５）を秘匿情報保存部２８に保存する。また、コンテンツデータの録画時はコンテンツを未購入であった場合に、その後コンテンツが購入されてその購入に関するＥＭＭが当該放送受信装置３によって受信されると、契約情報処理部２０は、秘匿情報保存部２８内の契約・購入情報３１６（図５）を「未」から「済」（コンテンツデータの購入済を示す。）に更新する。
【００４７】
さらに、契約情報処理部２０は、秘匿情報保存部２８に保存されるＥＣＭ関連情報２００のティア２１６と、契約・購入関連情報３００の契約・購入情報３１６とに基づいて、当該コンテンツデータを再生可能か否かを判定する。具体的には、契約・購入情報３１６が「済」であって、ＥＣＭ関連情報２００のティア２１６に示される視聴条件を満たしていれば、記録メディア３０に録画されたコンテンツデータを復号して再生することが許可される。
【００４８】
なお、契約・購入情報３１６は、放送受信装置３におけるコンテンツデータの購入契約（ティア）を示すものであり、以下では、ＥＣＭに含まれるコンテンツ側の契約情報である「コンテンツのティア」と区別して、契約・購入情報３１６を「受信装置のティア」とも称する。
【００４９】
暗号復号処理部２２は、映像音声処理部２６からの指示に従って、暗号化されたコンテンツデータを、秘匿情報保存部２８に保存されたスクランブル鍵（Ｋｓ）を用いて復号する。具体的には、記録メディア３０に記録されたコンテンツデータが復号される場合、暗号復号処理部２２は、ＥＣＭ／ＥＭＭ処理部１６によって秘匿情報保存部２８から順次読出されるスクランブル鍵（Ｋｓ）を用いて、タイムスタンプに示される時間に基づいてコンテンツデータを順次復号する。なお、受信されたコンテンツデータが録画されることなくそのまま復号される場合、暗号復号処理部２２は、ＥＣＭ／ＥＭＭ処理部１６から受けるスクランブル鍵（Ｋｓ）を用いてコンテンツデータを順次復号する。
【００５０】
映像音声処理部２６は、記録メディア３０に記録されたコンテンツデータの再生が要求されると、記録メディア３０からコンテンツデータを読出す。さらに、当該コンテンツデータを復号するためのスクランブル鍵（Ｋｓ）がＥＣＭ／ＥＭＭ処理部１６によって秘匿情報保存部２８から順次読出され、映像音声処理部２６は、その読出されたスクランブル鍵（Ｋｓ）を用いてコンテンツデータを復号するように暗号復号処理部２２に指示する。そして、映像音声処理部２６は、復号されたコンテンツデータの映像データおよび音声データをそれぞれ表示器３２およびスピーカ３４へ出力する。
【００５１】
表示器３２は、映像音声処理部２６によって処理されたコンテンツデータの映像を表示するための装置である。スピーカ３４は、映像音声処理部２６によって処理されたコンテンツデータの音声を出力するための装置である。
【００５２】
受信制御部３６は、当該放送受信装置３におけるコンテンツデータおよびＥＣＭ／ＥＭＭの受信処理、ならびに受信されたコンテンツデータの録画処理および表示処理を統括的に制御する。具体的には、プログラム等によって予め定められた処理手順に従って、コンテンツデータおよびＥＣＭ／ＥＭＭの受信、ならびにコンテンツデータの録画および再生に関する各処理を実行する。主制御部３８は、当該放送受信装置３の全体操作に関する処理を制御する。具体的には、主制御部３８は、放送受信装置３の利用者による入出力操作や放送受信装置３の電源等の制御を行なう。
【００５３】
以下に、図２に示した放送受信装置３により実行されるコンテンツデータの録画処理および再生処理の各動作について説明する。
【００５４】
図６は、コンテンツデータの録画処理に関する手順を説明するためのフローチャートである。図６とともに図２〜５も参照して、コンテンツデータの契約・購入期限に関する情報を含むＥＭＭが受信されると、ＥＣＭ／ＥＭＭ処理部１６は、ＣＡＳ処理部２４によってＥＭＭを復号し、コンテンツデータの契約・購入期限を秘匿情報保存部２８に保存する（ステップＳ１０）。
【００５５】
次いで、ＴＳ信号処理部１４は、チューナ制御部１２によって選択されたチャンネル（周波数帯）の放送波をＴＳデータとして読込む（ステップＳ２０）。そして、ＴＳ信号処理部１４は、読込まれたＴＳデータをコンテンツデータとＥＣＭデータとに分離する（ステップＳ３０）。
【００５６】
コンテンツデータの処理時は（ステップＳ４０においてＮＯ）、ＴＳ信号処理部１４は、受信されたコンテンツデータを録画処理部１８へ出力する。そして、録画処理部１８は、ＴＳ信号処理部１４から受ける暗号化されたコンテンツデータを復号することなく記録メディア３０へ出力する（ステップＳ５０）。
【００５７】
一方、ＥＣＭデータの処理時は（ステップＳ４０においてＹＥＳ）、ＴＳ信号処理部１４は、ＥＣＭデータをＥＣＭ／ＥＭＭ処理部１６へ出力する。そして、ＥＣＭ／ＥＭＭ処理部１６は、受信されたＥＣＭデータをＣＡＳ処理部２４へ出力する。ＣＡＳ処理部２４は、ＥＣＭ／ＥＭＭ処理部１６からＥＣＭデータを受けると、予め取得されたＥＭＭに含まれるワーク鍵（Ｋｗ）を用いてＥＣＭを復号する（ステップＳ６０）。そして、ＥＣＭ／ＥＭＭ処理部１６は、ＣＡＳ処理部２４によって復号されたＥＣＭに含まれるＥＣＭ関連情報（スクランブル鍵（Ｋｓ）およびコンテンツのティア）を秘匿情報保存部２８に保存する（ステップＳ７０）。
【００５８】
次いで、契約情報処理部２０は、秘匿情報保存部２８に保存されたＥＣＭ関連情報に含まれるコンテンツのティア（コンテンツ側の契約情報）が受信装置のティア（放送受信装置３におけるコンテンツデータの購入契約情報）と一致すると（ステップＳ８０においてＹＥＳ）、契約情報処理部２０は、秘匿情報保存部２８に保存された契約・購入関連情報３００の契約・購入情報３１６を「済」に設定する（ステップＳ９０）。
【００５９】
一方、ステップＳ８０においてコンテンツのティアが受信装置のティアと一致しないときは（ステップＳ８０においてＮＯ）、契約情報処理部２０は、ステップＳ９０の処理を実行することなくステップＳ１００へ処理を移行する。
【００６０】
次いで、受信制御部３６は、録画処理部１８による録画処理に基づいて、コンテンツデータの記録メディア３０への録画が終了したか否かを判定する（ステップＳ１００）。そして、コンテンツデータの録画が終了したものと判定されると（ステップＳ１００においてＹＥＳ）、契約情報処理部２０は、記録メディア３０に記録されたコンテンツデータに関する録画時間データ情報３１２（図５）を秘匿情報保存部２８に保存する（ステップＳ１１０）。
【００６１】
図７は、コンテンツデータの再生処理に関する手順を説明するためのフローチャートである。図７とともに図２〜５も参照して、記録メディア３０に録画されたコンテンツデータの再生が要求されると、契約情報処理部２０は、そのコンテンツデータに紐付けられた契約・購入関連情報３００（図５）を秘匿情報保存部２８から読込む（ステップＳ２１０）。
【００６２】
次いで、契約情報処理部２０は、読出された契約・購入関連情報３００に含まれる契約・購入情報３１６が「済」（コンテンツデータを購入済であることを示す。）であるか否かを判定する（ステップＳ２２０）。契約・購入情報３１６が「済」であると判定されると（ステップＳ２２０においてＹＥＳ）、ＥＣＭ／ＥＭＭ処理部１６は、再生要求されたコンテンツデータに対応するスクランブル鍵（Ｋｓ）を秘匿情報保存部２８から読出す（ステップＳ２３０）。
【００６３】
続いて、映像音声処理部２６は、読出されたスクランブル鍵（Ｋｓ）をコンテンツデータを復号するための復号鍵として設定する（ステップＳ２４０）。さらに、映像音声処理部２６は、再生要求されたコンテンツデータを記録メディア３０から読出す（ステップＳ２５０）。そして、映像音声処理部２６は、ステップＳ２４０において設定されたスクランブル鍵（Ｋｓ）を用いて、ステップＳ２５０において記録メディア３０から読出されるコンテンツデータを復号し、その復号されたデータから得られる映像データおよび音声データをそれぞれ表示器３２およびスピーカ３４へ出力する（ステップＳ２６０）。
【００６４】
次いで、映像音声処理部２６は、コンテンツデータの再生が終了したか否かを判定する（ステップＳ２７０）。コンテンツデータの再生が終了したと判定されると（ステップＳ２７０においてＹＥＳ）、ステップＳ３２０へ処理が移行される。コンテンツデータの再生がまだ終了していないと判定されると（ステップＳ２７０においてＮＯ）、映像音声処理部２６は、ＥＣＭの更新時間となったか否かを判定する（ステップＳ２８０）。具体的には、映像音声処理部２６は、読出されたスクランブル鍵（Ｋｓ）のタイムスタンプ２１２（図４）に基づいて、スクランブル鍵（Ｋｓ）の更新時間となったか否かを判定する。
【００６５】
そして、ＥＣＭの更新時間であると判定されると（ステップＳ２８０においてＹＥＳ）、ステップＳ２３０へ処理が戻され、次のスクランブル鍵（Ｋｓ）が秘匿情報保存部２８から読出される。一方、ＥＣＭの更新時間ではないと判定されると（ステップＳ２８０においてＮＯ）、ステップＳ２５０へ処理が返され、記録メディア３０からのコンテンツデータの読込みが継続される。
【００６６】
なお、ステップＳ２２０において契約・購入情報３１６が「済」でない、すなわち「未」（コンテンツデータは購入されていないことを示す。）であると判定されると（ステップＳ２２０においてＮＯ）、契約情報処理部２０は、契約・購入関連情報３００の契約・購入期限３１４（図５）に基づいて、再生要求されたコンテンツデータを購入・契約可能な期間であるか否かを判定する（ステップＳ２９０）。
【００６７】
購入・契約期間でないと判定されたときは（ステップＳ２９０においてＮＯ）、以降の一連の処理を実行することなくステップＳ３２０へ処理を移行する。一方、購入・契約期間内であると判定されると（ステップＳ２９０においてＹＥＳ）、契約情報処理部２０は、コンテンツのティア（ＥＣＭ関連情報２００に含まれるティア２１６）が、受信装置のティア（契約・購入関連情報３００に含まれる契約・購入情報３１６）と一致するか否かを判定する（ステップＳ３００）。
【００６８】
そして、コンテンツのティアが受信装置のティアと一致すると判定されると（ステップＳ３００においてＹＥＳ）、契約情報処理部２０は、秘匿情報保存部２８に保存された契約・購入関連情報３００の契約・購入情報３１６を「済」に設定する（ステップＳ３１０）。その後、ステップＳ２３０へ処理が移行される。
【００６９】
なお、ステップＳ２２０において契約・購入情報３１６が「未」であると判定されたにも拘わらず、ステップＳ３００においてコンテンツのティアが受信装置のティアと一致する場合があるのは、コンテンツデータの録画後にもコンテンツデータを購入可能であるからである。すなわち、コンテンツデータの録画時はコンテンツデータを未購入であったために契約・購入情報３１６が「未」であったが、その後コンテンツデータの契約・購入期間内にコンテンツデータが購入された場合、ステップＳ３００においてコンテンツのティアが受信装置のティアと一致すると判定され、ステップＳ３１０において契約・購入情報３１６が「済」に更新される。
【００７０】
一方、ステップＳ３００においてコンテンツのティアが受信装置のティアと一致しないと判定されると（ステップＳ３００においてＮＯ）、契約情報処理部２０は、以降の一連の処理を実行することなくステップＳ３２０へ処理を移行する。
【００７１】
以上のように、この実施の形態においては、コンテンツデータが暗号化された状態で録画されるので、コンテンツデータの録画時にコンテンツデータの復号および再暗号化処理は不要である。秘匿情報保存部２８は、復号されたＥＣＭに含まれるＥＣＭ関連情報（スクランブル鍵（Ｋｓ）およびコンテンツの契約情報）を記録メディア３０に録画されるコンテンツデータと対応付けて保存する。これにより、コンテンツデータの録画後、秘匿情報保存部２８に保存されたスクランブル鍵（Ｋｓ）を用いて、必要に応じて後日コンテンツデータを復号して再生することができる。したがって、この実施の形態によれば、暗号化されたコンテンツデータをより効率的かつ低負荷で録画・再生することができる。
【００７２】
また、この実施の形態においては、ＥＣＭについては、コンテンツデータの録画時にＥＣＭを復号してスクランブル鍵（Ｋｓ）およびコンテンツのティアを時系列で保存するので、コンテンツデータを購入可能な期間内であれば、コンテンツデータの放送後であってもコンテンツデータを復号して再生可能である。なお、ＥＣＭを復号することなくコンテンツデータとともに暗号化された状態で記録メディアに記録する手法も考えられるが、この手法では、ＥＣＭを復号可能な期間はＥＭＭの有効期間に限られ、またＥＭＭは頻繁に配信されるものではないので、コンテンツデータを購入可能な期間であるにも拘わらずＥＣＭを復号できない（すなわちコンテンツデータも復号できない）という事態が発生し得る。
【００７３】
また、この実施の形態によれば、未契約のコンテンツデータを暗号化された状態でそのまま記録メディア３０に録画し、かつ、ＥＣＭについては復号して秘匿情報保存部２８に保存するので、コンテンツデータの放送後であっても、コンテンツの契約・購入期間内であればコンテンツデータを購入して復号・再生することができる。
【００７４】
なお、上述したコンテンツデータの録画処理および／または再生処理は、予め記憶されたプログラムをＣＰＵで実行することによるソフトウェア処理によって実現してもよいし、専用の電子回路によるハードウェア処理によって実現してもよい。
【００７５】
なお、上記において、ＥＣＭは、この発明における「制御情報」の一実施例に対応し、ＴＳ信号処理部１４は、この発明における「信号処理部」の一実施例に対応する。また、ＥＣＭ／ＥＭＭ処理部１６およびＣＡＳ処理部２４は、この発明における「復号部」の一実施例を形成し、録画処理部１８および記録メディア３０は、この発明における「録画部」の一実施例を形成する。さらに、秘匿情報保存部２８は、この発明における「保存部」の一実施例に対応し、映像音声処理部２６、表示器３２およびスピーカ３４は、この発明における「再生部」の一実施例を形成する。また、さらに、契約情報処理部２０は、この発明における「判定部」の一実施例に対応する。
【００７６】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００７７】
１  放送送信装置、２  放送波送信所、３  放送受信装置、１０  受信アンテナ、１２  チューナ制御部、１４  ＴＳ信号処理部、１６  ＥＣＭ／ＥＭＭ処理部、１８  録画処理部、２０  契約情報処理部、２２  暗号復号処理部、２４  ＣＡＳ処理部、２６  映像音声処理部、２８  秘匿情報保存部、３０  記録メディア、３２  表示器、３４  スピーカ、１００  コンテンツデータ、１０２  ＴＳパケット、２００  ＥＣＭ関連情報、２１０，２２０，２３０，３１０，３２０  データ、２１２  タイムスタンプ、２１４  スクランブル鍵、２１６  ティア、３００  契約・購入関連情報、３１２  録画時間データ情報、３１４  契約・購入期限、３１６  契約・購入情報。
【図１】
2014045414.tif 000003
【図２】
2014045414.tif 000004
【図３】
2014045414.tif 000005
【図４】
2014045414.tif 000006
【図５】
2014045414.tif 000007
【図６】
2014045414.tif 000008
【図７】
2014045414.tif 000009